(57)【要約】      （修正有）【課題】被施療者の下腿に対する押圧マッサージの他に、ストレッチやひねりなどをもたらし、さらには脚部全体の振揺運動を実現可能とする足載せ部を備えた椅子式マッサージ機を提供する。【解決手段】椅子式マッサージ機として、各下腿をそれぞれ足載せ部１３ａにおいて幅方向に転動させる転動機構４ａを足載せ部１３ａにおける載置側で各下腿を受けるように各下腿のそれぞれに左右一対として足載せ部１３ａに並設し、該左右一対の転動機構４ａを左右一対からなる転動部材４１ａ・４１ａと、各転動部材４１ａの下部に配置されると共に各転動部材４１ａを傾斜させるための空気給排装置により膨縮する左右一対からなる膨縮袋４２ａ・４２ａとで構成すると共に、該左右一対の転動部材４１ａ・４１ａは互いに隣接する中央を軸として幅方向においてそれぞれ回動可能に設けられるように構成した。【選択図】図６
2009034456.tif 000002
【特許請求の範囲】
【請求項１】
座部の前方に被施療者の両下腿を載置する足載せ部を備えた椅子式マッサージ機であって、該足載せ部に各下腿を保受してその幅方向に各々転動させる転動機構をそれぞれ傾斜可能に配設し、該各転動機構を左右一対からなる転動部材と、各転動部材の下部に配置されると共に各転動部材を傾斜させるための空気給排装置により膨縮する左右一対からなる膨縮袋とで構成すると共に、該左右一対の転動部材は互いに隣接する中央を軸として幅方向においてそれぞれ回動可能に設けられていることを特徴とする椅子式マッサージ機。
【請求項２】
前記足載せ部の左右に並設した前記各左右一対の転動部材は、両下腿を同じ方向へ転動させるように各下腿における傾斜を同調させたことを特徴とする請求項１記載の椅子式マッサージ機。
【請求項３】
前記足載せ部の左右に並設した前記各左右一対の転動部材は、両下腿を互いに異なった方向へ転動させるように各下腿における傾斜を反調させたことを特徴とする請求項１記載の椅子式マッサージ機。
【発明の詳細な説明】
【技術分野】
【０００１】
本発明は、被施療者の下腿に対する多様なマッサージが可能な足載せ部を備えた椅子式マッサージ機に関するものであり、詳しくは下腿に対する押圧マッサージの他に、ストレッチやひねりなどをもたらし、さらには脚部全体の振揺運動を実現可能とする足載せ部を備えた椅子式マッサージ機に関するものである。
【背景技術】
【０００２】
従来、椅子式マッサージ機において、被施療者の下腿を安定載置させてこれに対するマッサージが可能な足載せ部を備えたものはよく知られており、例えば該足載せ部において空気給排装置により膨張・収縮（膨縮）する膨縮袋を使用して押圧部材を動作させて下腿に対する押圧マッサージを実施するよう構成しているものが存在している。
【０００３】
この種の足載せ部を備えた椅子式マッサージ機として、図１２に示すように被施療者の下腿２２を支持しうる支持部７と、被施療者の下腿２２を押圧するように出退動作しうる施療部８とを有する脚載置台４（足載せ部）を備えた構成のものが既に開示されている。
【０００４】
すなわち、前記支持部７はその左右方向両側において左右方向内方に向かって立ち上がるように突出可能で且つ退行可能な立上り部９を有しており、施療部８は、立上り部９上に設けられている。そして、立上り部９及び施療部８が退行した状態においては、立上り部９及びその左右方向内方における支持部７と施療部８とで略平坦面を形成するようにしている。
【０００５】
また、前記立上り部９の出退動作について、各エアセル（膨縮袋）は給排気装置からの給排気によって膨張及び収縮を繰り返すことを可能としており、下側エアセル１４が膨張すると、立上り板１３は、その裏面側から下側エアセル１４により押され左右方向内方に向かって立ち上がる様に突出する。
【０００６】
さらに、上側施療エアセル１８や下側施療エアセル１９などのエアセル１７が膨張すると、施療板１０（上側施療板１１や下側施療板１２）が当該エアセル１７により裏面側から押され、上側施療板１１や下側施療板１２が左右方向内方（被施療者の下腿２２側）に向かって倒れるように突出する。
【０００７】
そのうえ、前記支持部７の左右方向中央部に設けられた中央エアセル２３が膨張すると、下腿２２を左右方向内側から押圧し、中央エアセル２３と施療板１０とで下腿２２が挟まれたような状態となるようなマッサージを実施するものとしている。
【特許文献１】特開２００５−１３７７３８号公報（第９頁、図４）
【発明の開示】
【発明が解決しようとする課題】
【０００８】
ところで、上記のような従来の椅子式マッサージ機は、被施療者の下腿を左右方向における各側面を押圧するように構成されている。
【０００９】
すなわち、下腿の左右各側面を左右からエアセルや施療板などにより押圧しているため、被施療者の下腿を保持した状態での押圧マッサージがなされるようになっている。
【００１０】
しかしながら、下腿施療の分野において下腿要所に対する押圧マッサージのみならず、下腿に対してストレッチやひねりなどの作用をもたらしたり、また脚部全体の振揺運動などを実施したりする構成の足載せ部を具備した椅子式マッサージ機も要望されており、従来の上記のような椅子式マッサージ機における足載せ部の構成では実現することはできなかった。
【００１１】
そこで、本発明は上記問題点を解消する為に成されたものであり、下腿に対する押圧マッサージの他に、各下腿に対してそれぞれストレッチやひねりなどの作用をもたらし、また脚部全体の振揺運動が実現可能な構成の足載せ部を具備した椅子式マッサージ機を提供する事を目的とするものである。
【課題を解決するための手段】
【００１２】
すなわち、本発明の椅子式マッサージ機は、座部の前方に被施療者の両下腿を載置する足載せ部を備えた椅子式マッサージ機であって、該足載せ部に各下腿を保受してその幅方向に各々転動させる転動機構をそれぞれ傾斜可能に配設し、該各転動機構を左右一対からなる転動部材と、各転動部材の下部に配置されると共に各転動部材を傾斜させるための空気給排装置により膨縮する左右一対からなる膨縮袋とで構成すると共に、該左右一対の転動部材は互いに隣接する中央を軸として幅方向においてそれぞれ回動可能に設けられている。
【００１３】
また、本発明の椅子式マッサージ機において、前記足載せ部の左右に並設した前記各左右一対の転動機構は、両下腿を同じ方向へ転動させるように各下腿における傾斜を同調させたものとしている。
【００１４】
さらに、本発明の椅子式マッサージ機において、前記足載せ部の左右に並設した前記各左右一対の転動機構は、両下腿を互いに異なった方向へ転動させるように各下腿における傾斜を反調させたものとしている。
【発明の効果】
【００１５】
よって、本発明の椅子式マッサージ機は、座部の前方に被施療者の両下腿を載置する足載せ部を備えた椅子式マッサージ機であって、該足載せ部に各下腿を保受してその幅方向に各々転動させる転動機構をそれぞれ傾斜可能に配設し、該各転動機構を左右一対からなる転動部材と、各転動部材の下部に配置されると共に各転動部材を傾斜させるための空気給排装置により膨縮する左右一対からなる膨縮袋とで構成すると共に、該左右一対の転動部材は互いに隣接する中央を軸として幅方向においてそれぞれ回動可能に設けられているため、転動機構の傾斜動作により各下腿に対する押圧マッサージを実施できると共に、各下腿をそれぞれ受けた各転動機構が傾斜して、各下腿は幅方向において転動することになるので、各下腿に対してそれぞれストレッチやひねりなどの作用をもたらしたり、また脚部全体の振揺運動を実施したりすることが可能となる。
【００１６】
加えて、前記転動機構の不使用時において、前記足載せ部における載置面が前記転動部材により平坦となり、被施療者にとって快適に下腿を足載せ部に載置できるし、転動機構としての転動面を十分に確保でき、下腿の転動幅が比較的大きく得られる。
【００１７】
また、本発明の椅子式マッサージ機において、前記足載せ部の左右に並設した前記各左右一対の転動機構は、両下腿を同じ方向へ転動させるように各下腿における傾斜を同調させたため、両下腿が互いにぶつかり合うことなく、スムーズ且つ快適に転動運動を実施できる。
【００１８】
さらに、本発明の椅子式マッサージ機において、前記足載せ部の左右に並設した前記各左右一対の転動機構は、両下腿を互いに異なった方向へ転動させるように各下腿における傾斜を反調させたため、両下腿における転動運動を繰り返しても身体は左右にぶれることなく、安定した状態で実施できる。
【発明を実施するための最良の形態】
【００１９】
以下に、本発明の椅子式マッサージ機を、図面に示す一実施形態に基づきこれを詳細に説明する。
図１は本発明の椅子式マッサージ機の一実施形態を示す斜視図であり、図２は本発明の椅子式マッサージ機の一実施形態を示す使用状態図であり、図３は本発明の椅子式マッサージ機における背凭れ部を座部に対し折り畳んだ状態の一実施形態を示す右側面図であり、図４は本発明の椅子式マッサージ機における背凭れ部の起倒及び足載せ部の出没態様の一実施形態を示す右側面図であり、図５は本発明の椅子式マッサージ機における足載せ部に設けた転動機構の一実施形態を示す断面簡易説明図であり、図６乃至図１０は本発明の椅子式マッサージ機における足載せ部に設けた転動機構の動作状態に関する一実施形態を示す断面簡易説明図であり、図１１は本発明の椅子式マッサージ機における足載せ部に設けた転動機構の膨縮袋に関する膨縮パターンの一実施形態を示す表図であり、図１２は従来技術を示す参考図である。
【００２０】
すなわち、本発明の椅子式マッサージ機１ａは、図１及び図２の実施形態で示したように、座部１１ａの前方に被施療者の両下腿を載置する足載せ部１３ａを備えると共に、座部１１ａの後部に被施療者の背部や腰部が当接する背凭れ部１２ａをリクライニング可能に設けた椅子本体１０ａから構成するものである。
【００２１】
これら前記座部１１ａ、前記背凭れ部１２ａ及び前記足載せ部１３ａのそれぞれは、中空箱状の筐体フレームにスポンジゴム等のクッションを保持させて、その全体をカバーで覆った構成のものである。
【００２２】
また、前記座部１１ａの下部には、左右幅方向に直線状に延びる支持パイプ１０１ａを横設しており、該支持パイプ１０１ａの中央下部には、床面に直接して椅子本体１０ａの全体を土台として支持する円形のベース１０２ａが底設されている。
【００２３】
さらに、前記支持パイプ１０１ａの左右両端上部において、被施療者の手部及び腕部を載置する左右一対の肘掛け部１４ａ・１４ａを立設させている。該左右一対の肘掛け部１４ａ・１４ａの後端にそれぞれ設けた支軸１４１ａ・１４１ａに前記背凭れ部１２ａが前後方向に回動可能に軸支された構成となっている。該背凭れ部１２ａは該支軸１４１ａを支点として起立状態から後方への倒伏状態までの前後方向における起倒回動が可能であると共に、傾斜角度を調節することができるようにしている。
【００２４】
加えて、図３に示すように前記背凭れ部１２ａを前方へ傾動させて前記座部１１ａと重合させるような態様で、二つ折り状態にすることも可能である。尚、この場合は背凭れ部１２ａの下端で座部１１ａを回動可能に連結させた部分の該連結を解除して折り畳むようにしている。
【００２５】
前記座部１１ａは、図４に示すように前記支持パイプ１０１ａの中央から前方へ延設するスライド機構１５ａにより、前後方向に移動可能となっている。該スライド機構１５ａは、図示しないが進退棒及び該進退棒をスライド可能に嵌合挿入する嵌合パイプとから構成してもよい。
【００２６】
よって、前記背凭れ部１２ａを起立状態から後方へ倒伏させる場合、前記支軸１４１ａよりも背凭れ部１２ａにおける上部分は後方へ傾倒すると共に、前記支軸１４１ａよりも背凭れ部１２ａにおける下部分は前方へ突出することになり、これに伴って前記座部１１ａは前記足載せ部１３ａと共に前記スライド機構１５ａによって前方へスライドすることになる。
【００２７】
尚、図示しないが前記背凭れ部１２ａの起倒機構（図示せず）や前記座部１１ａの前記スライド機構１５ａ、また前記足載せ部１３ａの回動機構（図示せず）に、それぞれ適宜において油圧シリンダや電動アクチュエータを採用できる。
【００２８】
図１に示すように、本発明の椅子式マッサージ機１ａは、前記椅子本体１０ａの適所において、空気給排装置３ａによる空気の給排気により押圧膨縮または押圧膨張保持する膨縮袋２ａを内装して構成しており、各膨縮袋２ａにより被施療者の施療要所における押圧マッサージを実施するようにしている。
【００２９】
前記空気給排装置３ａは、図示しないが圧縮空気を発生させるエアポンプと、該圧縮空気を各エアホースに分配する複数の電磁弁からなる分配器と、該分配器の内部機構を電子回路により制御する電子制御回路とから主に構成される。尚、図１に示すように該空気給排装置３ａは前記座部１１ａの下部に配設する前記ベース１０２ａに内装している。
【００３０】
また、前記膨縮袋２ａは、軟質樹脂やナイロンのシートによる溶着成形、または同材質のブロー成形等で製造され、前記空気給排装置３ａの空気の給排気による継続的な膨縮に耐え得るものである。
【００３１】
図１に示すように、前記座部１１ａ及び前記背凭れ部１２ａのそれぞれ左右において、前記膨縮袋２ａ・２ａを左右一対として設けており、これらの各膨縮袋２ａ毎にそれぞれ独立して連通する前記電磁弁を設けているので、多様な押圧形態が可能となる。
【００３２】
加えて、前記背凭れ部１２ａの左右一対からなる前記膨縮袋２ａ・２ａは、該背凭れ部１２ａにおいて上下方向に複数並設したものとしており、図１では頸部、背部、腰部をそれぞれ左右から押圧できるように、この左右一対の膨縮袋２ａ・２ａを３段構成としたものを示している。
【００３３】
また、図１に示すように前記座部１１ａ及び前記背凭れ部１２ａのそれぞれにおいて設けられた前記左右一対からなる膨縮袋２ａ・２ａの中央に、もう一つの前記膨縮袋２ａを設けており、この椅子式マッサージ機１ａにおいてさらに複雑な押圧形態が実施できるようにしている。
【００３４】
さらに、本発明の椅子式マッサージ機１ａは、図５乃至図９に示すように該足載せ部１３ａに各下腿を保受してその幅方向に各々転動させる転動機構４ａ・４ａをそれぞれ傾斜可能に配設し、該各転動機構４ａを左右一対の転動部材４１ａ・４１ａと、各転動部材４１ａの下部に配置されると共に各転動部材４１ａを傾斜させるための空気給排装置３ａにより膨縮する左右一対からなる膨縮袋４２ａ・４２ａとで構成すると共に、該左右一対の転動部材４１ａ・４１ａは互いに隣接する中央を軸として幅方向においてそれぞれ回動可能に設けられている。
【００３５】
すなわち、前記左右一対の板状形成した転動部材４１ａ・４１ａを相互において回動可能に連結する回動連結部４４ａを設けている。尚、図５乃至図９の場合は左右一対の転動部材４１ａ・４１ａがそれぞれ同軸上を回動するようにしている。
【００３６】
これにより、前記左右一対の転動部材４１ａ・４１ａのうち、どちかが傾斜するだけで下腿は転動し始めることになる。
【００３７】
また、前記足載せ部１３ａの左右に並設した前記各左右一対の転動機構４ａ・４ａは、図６及び図７に示すように、両下腿を同じ方向へ転動させるように各下腿における傾斜を同調させるようにしている。
【００３８】
すなわち、図６の場合は前記左右一対の転動機構４ａ・４ａのうち左側の前記転動部材４１ａ・４１ａが、膨張する前記膨縮袋４２ａ・４２ａによりそれぞれ傾斜させたものであり、図７は左右一対の転動機構４ａ・４ａのうち右側の転動部材４１ａ・４１ａが、膨張する前記膨縮袋４２ａ・４２ａによりそれぞれ傾斜させたものである。
【００３９】
尚、図５は前記転動機構４ａが非傾斜状態の場合を示している。
【００４０】
よって、図５乃至図７に示す前記転動機構４ａにおける傾斜動作を繰り返すことにより、両下腿が互いにぶつかり合うことなく、スムーズ且つ快適に転動運動を実施することができるのである。
【００４１】
この際の前記膨縮袋４２ａの膨縮パターンを図１１に示している。すなわち、図５に示す場合は全ての各膨縮袋４２ａは収縮した状態である。（パターン１）
【００４２】
また、図６に示す場合は、両下腿における前記左右一対の膨縮袋４２ａ・４２ａのうち、左側のみが膨張した状態である。（パターン２）
【００４３】
逆に、図７に示す場合は、前記左右一対の膨縮袋４２ａ・４２ａのうち、右側のみが膨張した状態である。（パターン３）
【００４４】
よって、これらのパターン１乃至パターン３を循環する態様で上述した下腿におけるスムーズな転動運動を実施することができる。
【００４５】
図８及び図９に示す形態について、前記足載せ部１３ａの左右に並設した前記各左右一対の転動機構４ａ・４ａは、両下腿を互いに異なった方向へ転動させるように各下腿における傾斜を反調させたものである。
【００４６】
すなわち、図８の場合は前記左右一対の転動機構４ａ・４ａのうち、左側の左右一対からなる転動部材４１ａ・４１ａの右側をその下部に設けた膨張する前記膨縮袋４２ａにより傾斜させると共に、左右一対の転動機構４ａ・４ａのうち、右側の左右一対からなる転動部材４１ａ・４１ａの左側をその下部に設けた膨張する前記膨縮袋４２ａにより傾斜させるようにしている。
【００４７】
また、図９の場合は前記左右一対の転動機構４ａ・４ａのうち、左側の左右一対からなる転動部材４１ａ・４１ａの左側をその下部に設けた膨張する前記膨縮袋４２ａにより傾斜させると共に、左右一対の転動機構４ａ・４ａのうち、右側の左右一対からなる転動部材４１ａ・４１ａの右側をその下部に設けた膨張する前記膨縮袋４２ａにより傾斜させるようにしている。
【００４８】
よって、図５、図８及び図９に示す前記転動機構４ａにおける傾斜動作を繰り返すことにより、両下腿における転動運動を繰り返しても身体は左右にぶれることなく、安定した状態で実施できるである。
【００４９】
この際の前記膨縮袋４２ａの膨縮パターンを図１１に示している。すなわち、図５に示す場合は前述したように全ての各膨縮袋４２ａは収縮した状態である。（パターン１）
【００５０】
また、図９に示す場合は、左下腿における前記左右一対の膨縮袋４２ａ・４２ａのうち、右側が膨張した状態であると共に、右下腿における前記左右一対の膨縮袋４２ａ・４２ａのうち、左側が膨張した状態である。（パターン４）
【００５１】
逆に、図８に示す場合は、左下腿における前記左右一対の膨縮袋４２ａ・４２ａのうち、左側が膨張した状態であると共に、右下腿における前記左右一対の膨縮袋４２ａ・４２ａのうち、右側が膨張した状態である。（パターン５）
【００５２】
よって、これらのパターン１、パターン４及びパターン５を循環する態様で上述した下腿における安定した転動運動を実施することができる。
【００５３】
図１０に示す実施例は、前記左右一対の転動部材４１ａ・４１ａの他の形態のものである。すなわち、各転動部材４１ａとして前記膨縮袋４２ａと同様の膨縮袋を適用すると共にこの膨縮袋からなる各転動部材４１ａの下部に前記各膨縮袋４２ａがそれぞれ重合している。
【００５４】
このように、前記転動機構４ａを膨縮袋が重合した構成とすることで比較的大きな傾斜幅を実現できるので、下腿に対するより大きなストレッチやひねりなどの作用が得られる。
【００５５】
尚、このような形態の場合、前記回動連結部４４ａのような回動軸を必要とせず、前記左右の各転動部材４１ａ及び前記各膨縮袋４２ａは、延設された縁部が中央の止着具から構成する回動連結部４４ａにより前記足載せ部１３ａの内部フレームに回動可能となるよう止着されている。
【００５６】
前記座部１１ａにおいて配設された前記各膨縮袋２ａを被施療者の臀部下部に配設させると共に、図２に示すような仕方で被施療者が着座し、この臀部下部の各膨縮袋２ａを膨張させることで臀部を上方に持ち上げるようにする場合、座部１１ａから被施療者の大腿部が浮上して自由になり、このような状態で前記転動機構４ａにおける転動運動を行うことにより、下腿だけでなく大腿におけるひねりやストレッチ効果をも得ることになり、さらに脚部全体の振揺運動を実現することができるのである。
【００５７】
尚、図示しないが前記転動機構４ａに指圧用の突起部材を設けてもよい。このように構成して、下腿の転動運動と共に下腿の要所を指圧することが可能となる。尚、該突起部材は軟質樹脂、又はゴムなどの材質で形成された先端部が球形状のものを適用できる。
【図面の簡単な説明】
【００５８】
【図１】本発明の椅子式マッサージ機の一実施形態を示す斜視図である。
【図２】本発明の椅子式マッサージ機の一実施形態を示す使用状態図である。    斜視図である。
【図３】本発明の椅子式マッサージ機における背凭れ部を座部に対し折り畳んだ状態の一実施形態を示す右側面図である。
【図４】本発明の椅子式マッサージ機における背凭れ部の起倒及び足載せ部の出没態様の一実施形態を示す右側面図である。
【図５】本発明の椅子式マッサージ機における足載せ部に設けた転動機構の一実施形態を示す断面簡易説明図である。
【図６】本発明の椅子式マッサージ機における足載せ部に設けた転動機構の動作状態に関する一実施形態を示す断面簡易説明図である。
【図７】本発明の椅子式マッサージ機における足載せ部に設けた転動機構の動作状態に関する一実施形態を示す断面簡易説明図である。
【図８】本発明の椅子式マッサージ機における足載せ部に設けた転動機構の動作状態に関する一実施形態を示す断面簡易説明図である。
【図９】本発明の椅子式マッサージ機における足載せ部に設けた転動機構の動作状態に関する一実施形態を示す断面簡易説明図である。
【図１０】本発明の椅子式マッサージ機における足載せ部に設けた転動機構の動作状態に関する一実施形態を示す断面簡易説明図である。
【図１１】本発明の椅子式マッサージ機における足載せ部に設けた転動機構の膨縮袋に関する膨縮パターンの一実施形態を示す表図である。
【図１２】従来技術を示す参考図である。
【符号の説明】
【００５９】
１ａ  椅子式マッサージ機
１０ａ  椅子本体
１０１ａ  支持パイプ
１０２ａ  ベース
１１ａ  座部
１２ａ  背凭れ部
１３ａ  足載せ部
１４ａ  肘掛け部
１４１ａ  支軸
１５ａ  スライド機構
２ａ  膨縮袋
３ａ  空気給排装置
４ａ  転動機構
４１ａ  転動部材
４２ａ  膨縮袋
４３ａ  突起部材
４４ａ  回動連結部
【図１】
2009034456.tif 000003
【図２】
2009034456.tif 000004
【図３】
2009034456.tif 000005
【図４】
2009034456.tif 000006
【図５】
2009034456.tif 000007
【図６】
2009034456.tif 000008
【図７】
2009034456.tif 000009
【図８】
2009034456.tif 000010
【図９】
2009034456.tif 000011
【図１０】
2009034456.tif 000012
【図１１】
2009034456.tif 000013
【図１２】
2009034456.tif 000014